(57)【要約】【課題】少量の洗浄水を滴下した状態で排水できるようにすること。【解決手段】洗浄水生成装置１０は、原液を連続して定量移送する原液移送部２０と、オゾンを含むオゾンガスを発生させるオゾンガス発生部３０と、原液にオゾンガスを混合して気液混合水を生成する気液混合部４０と、気液混合水を原液に溶解しない廃ガスと原液にオゾンを溶解させた洗浄水とに分離して貯留する気液分離部５０とを備え、気液分離部５０に貯留した洗浄水を廃ガスの圧力で排水するようになっている。【選択図】図１
2010058000.tif 000002
【特許請求の範囲】
【請求項１】
原液にオゾンを溶解させた洗浄水を生成する装置であって、
原液を連続して定量移送する原液移送部と、
オゾンを含むオゾンガスを発生させるオゾンガス発生部と、
原液移送部から定量移送された原液にオゾンガス発生部で発生させたオゾンガスを混合して気液混合水を生成する気液混合部と、
気液混合部で生成した気液混合水を原液に溶解しない廃ガスと原液にオゾンを溶解させた洗浄水とに分離して貯留する気液分離部と、
を備え、気液分離部に貯留した洗浄水を廃ガスの圧力で排水することを特徴とする洗浄水生成装置。
【請求項２】
原液にオゾンを溶解させた洗浄水を生成する装置であって、
原液の容器に取り付けた排水用キャップからホースを介してチューブポンプにより原液を定量移送する原液移送部と、
オゾンを含むオゾンガスを発生させるオゾンガス発生部と、
原液移送部から定量移送された原液とオゾンガス発生部で発生させたオゾンガスを混合して気液混合水を吐出するエジェクタと、エジェクタの吐出口に接続されたスタティックミキサとにより構成され、スタティックミキサ内に交互に配置した整流板により気液混合水を乱流攪拌する気液混合部と、
気液混合部で生成した気液混合水を中空容器内で原液に溶解しない廃ガスと原液にオゾンを溶解させた洗浄水とに分離する気液分離槽と、気液分離槽よりも容積の小さな中空容器内で気液分離槽から別々に排出した廃ガスと洗浄水を分離した状態で貯留する気液分離管とにより構成された気液分離部と、
を備え、気液分離部に貯留した洗浄水を廃ガスの圧力で排水することを特徴とする洗浄水生成装置。
【請求項３】
原液にオゾンを溶解させた洗浄水を生成する装置であって、
原液の容器に取り付けた排水用キャップからホースを介してチューブポンプにより原液を定量移送する原液移送部と、
オゾンを含むオゾンガスを発生させるオゾンガス発生部と、
原液移送部から定量移送された原液とオゾンガス発生部で発生させたオゾンガスを混合して気液混合水を吐出するエジェクタと、エジェクタの吐出口に接続された螺旋形ホースとにより構成され、螺旋形ホース内を流れる気液混合水に渦流を発生させる気液混合部と、
気液混合部で生成した気液混合水を中空容器内で原液に溶解しない廃ガスと原液にオゾンを溶解させた洗浄水とに分離する気液分離槽と、気液分離槽よりも容積の小さな中空容器内で気液分離槽から別々に排出した廃ガスと洗浄水を分離した状態で貯留する気液分離管とにより構成された気液分離部と、
を備え、気液分離部に貯留した洗浄水を廃ガスの圧力で排水することを特徴とする洗浄水生成装置。
【請求項４】
気液分離部は、廃ガスを排気する際に洗浄水が流れ出ないように阻止する流水防止器を更に備えたことを特徴とする請求項１、２または３のいずれか１項に記載の洗浄水生成装置。
【請求項５】
流水防止器は、気液分離管の排気口に接続された中空容器からなり、この中空容器内に洗浄水が満たされた場合に浮力により上昇して中空容器の排気口を塞ぐフロートを収容したものであることを特徴とする請求項４に記載の洗浄水生成装置。
【請求項６】
エジェクタに継手を介してオゾンガス用のホースが接続され、流水防止器に継手を介して廃ガス用のホースが接続されており、エジェクタ、気液分離槽、気液分離管及び流水防止器を装着した取付板が装置本体から取り外し可能に設けられていることを特徴とする請求項４または５に記載の洗浄水生成装置。
【請求項７】
原液移送部は、原液の容器に取り付けた排水用キャップからホースを介してチューブポンプにより原液を定量移送するものであり、排水用キャップは、キャップ本体に排水口を開口し、この排水口を横断する仕切板によって排水口の断面が非円形状に仕切られていることを特徴とする請求項１に記載の洗浄水生成装置。
【請求項８】
気液混合部は、原液移送部から定量移送された原液とオゾンガス発生部で発生させたオゾンガスを混合して気液混合水を吐出するエジェクタと、エジェクタの吐出口に接続されたスタティックミキサとにより構成され、スタティックミキサ内に交互に配置した整流板により気液混合水を乱流攪拌することを特徴とする請求項１に記載の洗浄水生成装置。
【請求項９】
気液混合部は、原液移送部から定量移送された原液とオゾンガス発生部で発生させたオゾンガスを混合して気液混合水を吐出するエジェクタと、エジェクタの吐出口に接続された螺旋形ホースとにより構成され、螺旋形ホース内を流れる気液混合水に渦流を発生させることを特徴とする請求項１に記載の洗浄水生成装置。
【請求項１０】
螺旋形ホースの内部に複数個の微小ボールを数珠状に連結したボールチェーンが収容されていることを特徴とする請求項９に記載の洗浄水生成装置。
【請求項１１】
気液分離部は、中空容器内で気液混合水を廃ガスと洗浄水に分離する気液分離槽と、気液分離槽よりも容積の小さな中空容器内で気液分離槽から別々に排出した廃ガスと洗浄水を分離した状態で貯留する気液分離管とにより構成されていることを特徴とする請求項１に記載の洗浄水生成装置。
【請求項１２】
気液分離部は、廃ガスを排気する際に洗浄水が流れ出ないように阻止する流水防止器を更に備えたことを特徴とする請求項１１に記載の洗浄水生成装置。
【請求項１３】
流水防止器は、気液分離管の排気口に接続された中空容器からなり、この中空容器内に洗浄水が満たされた場合に浮力により上昇して中空容器の排気口を塞ぐフロートを収容したものであることを特徴とする請求項１２に記載の洗浄水生成装置。
【請求項１４】
気液分離部で分離された廃ガスを酸素に分解して排気する廃ガス処理部を更に備えたことを特徴とする請求項１、２または３のいずれか１項に記載の洗浄水生成装置。
【請求項１５】
廃ガス処理部は、給気側及び排気側に設けられたフィルタとフィルタ間に充填された活性炭とを内蔵したオゾン分離器により構成されていることを特徴とする請求項１４に記載の洗浄水生成装置。
【請求項１６】
原液にオゾンを溶解させた洗浄水を生成する方法であって、
連続して定量移送される原液に、オゾンを含むオゾンガスを混合して気液混合水を生成した後、生成した気液混合水を原液に溶解しない廃ガスと原液にオゾンを溶解させた洗浄水とに分離して貯留し、貯留した洗浄水を廃ガスの圧力で排水することを特徴とする洗浄水生成方法。
【発明の詳細な説明】
【技術分野】
【０００１】
本発明は、原液にオゾンを溶解させた洗浄水を生成する装置と方法に関する。
【背景技術】
【０００２】
従来、水［Ｈ2Ｏ］にオゾン［Ｏ3］を溶解させたオゾン水は、オゾンによる優れた洗浄力や殺菌力を有することから、医療、食品、製造などの各種分野で利用されている。例えば医療の分野において、オゾン水で手指や医療器具を洗浄することにより、細菌や微生物を死滅させ、病院での院内感染を防ぐのに役立っている。また、近年では眼科での手術や治療の際にオゾン水を消毒液として使用する例も見られ、この場合、原料水に体液と同濃度の生理食塩水を使用すると、術部や患部への刺激が少なくなることが知られている（例えば特許文献１を参照）。
【０００３】
ところで、医療の現場には、上記のようにオゾン水を洗浄水や消毒液として使用することができるように、オゾン水を生成して排水する装置が設置されている。しかし、その装置のほとんどは毎分３〜５Ｌ程度の大流量のオゾン水を排水するものであり、流れるオゾン水の水量が多いので、特に眼科において患者の眼を直接洗浄する用途には適していなかった。また、このような大流量の装置を使って眼を洗浄する場合には、一旦排水したオゾン水を別の器具に移し変えて使用することになるが、オゾン水は時間の経過とともにオゾン濃度が低下してしまうため、あらかじめ高濃度のオゾン水を生成しておかなければならずコスト的に無駄があった。
【０００４】
【特許文献１】特開２００５−２１７９８号公報
【発明の開示】
【発明が解決しようとする課題】
【０００５】
本発明は、上記のような問題を解決するために考案されたものであり、その目的とするところは、原液に所定濃度のオゾンを溶解させた洗浄水を小流量で生成して排水できるようにすることにある。
【課題を解決するための手段】
【０００６】
上記の目的を達成するために、本発明の洗浄水生成装置は、原液にオゾンを溶解させた洗浄水を生成する装置であって、原液を連続して定量移送する原液移送部と、オゾンを含むオゾンガスを発生させるオゾンガス発生部と、原液移送部から定量移送された原液にオゾンガス発生部で発生させたオゾンガスを混合して気液混合水を生成する気液混合部と、気液混合部で生成した気液混合水を原液に溶解しない廃ガスと原液にオゾンを溶解させた洗浄水とに分離する気液分離部と、を備え、気液分離部に貯留した洗浄水を廃ガスの圧力で排水することを特徴とするものである。
【０００７】
また、上記の目的を達成するために、本発明の洗浄水生成方法は、原液にオゾンを溶解させた洗浄水を生成する方法であって、連続して定量移送される原液に、オゾンを含むオゾンガスを混合して気液混合水を生成した後、生成した気液混合水を原液に溶解しない廃ガスと原液にオゾンを溶解させた洗浄水とに分離して貯留し、貯留した洗浄水を廃ガスの圧力で排水することを特徴とするものである。
【０００８】
また、特に本発明の洗浄水生成装置は、原液にオゾンを溶解させた洗浄水を生成する装置であって、原液の容器に取り付けた排水用キャップからホースを介してチューブポンプにより原液を定量移送する原液移送部と、オゾンを含むオゾンガスを発生させるオゾンガス発生部と、原液移送部から定量移送された原液とオゾンガス発生部で発生させたオゾンガスを混合して気液混合水を吐出するエジェクタと、エジェクタの吐出口に接続されたスタティックミキサとにより構成され、スタティックミキサ内に交互に配置した整流板により気液混合水を乱流攪拌する気液混合部と、気液混合部で生成した気液混合水を中空容器内で原液に溶解しない廃ガスと原液にオゾンを溶解させた洗浄水とに分離する気液分離槽と、気液分離槽よりも容積の小さな中空容器内で気液分離槽から別々に排出した廃ガスと洗浄水を分離した状態で貯留する気液分離管とにより構成された気液分離部と、を備え、気液分離部に貯留した洗浄水を廃ガスの圧力で排水することを特徴とするものである。
【０００９】
また、特に本発明の洗浄水生成装置は、原液にオゾンを溶解させた洗浄水を生成する装置であって、原液の容器に取り付けた排水用キャップからホースを介してチューブポンプにより原液を定量移送する原液移送部と、オゾンを含むオゾンガスを発生させるオゾンガス発生部と、原液移送部から定量移送された原液とオゾンガス発生部で発生させたオゾンガスを混合して気液混合水を吐出するエジェクタと、エジェクタの吐出口に接続された螺旋形ホースとにより構成され、螺旋形ホース内を流れる気液混合水に渦流を発生させる気液混合部と、気液混合部で生成した気液混合水を中空容器内で原液に溶解しない廃ガスと原液にオゾンを溶解させた洗浄水とに分離する気液分離槽と、気液分離槽よりも容積の小さな中空容器内で気液分離槽から別々に排出した廃ガスと洗浄水を分離した状態で貯留する気液分離管とにより構成された気液分離部と、を備え、気液分離部に貯留した洗浄水を廃ガスの圧力で排水することを特徴とするものである。
【発明の効果】
【００１０】
本発明によれば、連続して定量移送される原液にオゾンガスを混合した気液混合水を生成し、その気液混合水を廃ガスと洗浄水に分離した状態で貯留して、貯留した洗浄水を廃ガスの圧力で排水するようにしたので、少量の洗浄水を滴下した状態で排水することができ、特に眼科において例えば白内障や緑内障等の手術あるいは治療の際に患者の眼を直接洗浄するのに好適である。
【発明を実施するための最良の形態】
【００１１】
以下、本発明の実施形態について、図面を参照しながら説明する。
【００１２】
------  装置の概略  ------------------------------------------------------------
図１は洗浄水生成装置の機能ブロック図、図２は同装置の正面図、図３は同装置の背面図、図４は同装置の右側面図である。図示したように、本実施形態の洗浄水生成装置１０は、原液に所定濃度のオゾンを溶解させた洗浄水を生成する装置であり、特に眼科で手術や治療の際に患者の眼を直接洗浄できるように毎分約１５０〜２００ｍｌ程度の少量の洗浄水を排水する小型の装置にしたことが特徴である。この装置１０は、図４に示すようにケース１１の内部に設けられた収容空間に、原液移送部２０と、オゾンガス発生部３０と、気液混合部４０と、気液分離部５０と、廃ガス処理部６０を備えて構成されている。以下、各部の構成と動作を詳細に説明する。なお、図２の正面図と図３の背面図においては、内部の構造を理解し易くするためにケースを図示していない。また、図中において、実線の矢印は液体の流れを、点線の矢印は気体の流れを表わしている。
【００１３】
------  原液移送部  ------------------------------------------------------------
図１において、原液移送部２０は、洗浄水の原料である原液を連続的に定量移送する手段であり、本実施形態では容器２１とチューブポンプ２２により構成されている。原液は水道水（水圧：約０．２〜０．５ＭＰａ）のように圧力を加えられた状態で供給されるものを使用するのではなく、容器等からの自由落下により供給される小流量のものを使用する。なお、以下の実施形態では、原液の一例として、塩化ナトリウムを０．９％含有する食塩水（以下「生理食塩水」という）を使用した例を挙げて説明するが、原液の種類は生理食塩水に限られず、精製水、蒸留水、リンゲル液、あるいは眼灌流洗浄液（例えばオキシグルタチオン溶液）などを使用することもできる。
【００１４】
図２に示すように、本例の生理食塩水はプラスチック等の容器２１に充填された市販品を使用し、付属のキャップを排水用キャップ２３に付け替えてセットされる。排水用キャップ２３は、図５に拡大して示すようにキャップ本体の天板２３ａに排水口２３ｂを開口した２段式のノズル２３ｃを設けたものである。また、ノズル２３ｃには排水口２３ｂを横断する溝２３ｄが形成され、この溝２３ｄに十文字形の仕切板２３ｅが嵌め込まれている。この排水用キャップ２３を容器２１の口に装着して逆さまにセットすると、排水口２３ｂの断面が非円形状（本例では半円形）に仕切られるので落下する液体の表面張力が作用しにくくなり、容器２１内の生理食塩水が仕切板２３ｅを伝ってスムーズに流れ出るようになっている。なお、仕切板２３ｅは生理食塩水で錆びないようにステンレスで構成され、その端部をノズル２３ｃの先端からわずかに突出させることによって流れ具合をより良くしてある。
【００１５】
図２において、容器２１から流れ出た生理食塩水は、ノズル２３ｃに接続された食塩水用のホース２４を通ってチューブポンプ２２に供給される。チューブポンプ２２は、ゴム製のチューブ２２ａの弾性力を利用して液体を移送するポンプである。このポンプを起動すると、ギヤードモータ（図示略）によって回転するローラ２２ｂがチューブ２２ａを押し潰しながら公転する。そして、押し潰されたチューブ２２ａが弾性力で復元する際にホース２４から生理食塩水を吸入し、ローラ２２ｂの回転に伴ってチューブ２２ａ内の生理食塩水が一定量ずつ連続して送り出されるようになっている。なお、チューブ２２ａのサイズとギヤードモータの回転数を変更することで移送流量を調節することができ、本実施形態では移送流量を毎分２００ｍｌに設定した生理食塩水が気液混合部に連続して定量移送される。
【００１６】
------  オゾンガス発生部  ------------------------------------------------------
図１において、オゾンガス発生部３０は、オゾンと酸素の混合ガス（以下「オゾンガス」という）を発生させる手段であり、本実施形態では酸素ボンベ３１と電磁弁３２とオゾン発生器３３により構成されている。
【００１７】
図２に示すように、オゾン発生器３３は、酸素を原料ガスに利用して放電によってオゾンガスを発生させるもので、その給気口が電磁弁３２を介して酸素ボンベ３１に接続されている。このオゾン発生器３３では、酸素ボンベ３１から供給された原料ガスが放電管３３ａ内を通過する際に、放電管３３ａに高周波高電圧を印加することによって無数の放電が生じ、原料ガス中にオゾンが発生するようになっている。その発生原理は、放電管３３ａ内を通過する酸素分子［Ｏ2］が放電によって酸素原子［Ｏ］に分解され、分解された酸素原子同士が分子に戻ろうとした時に、酸素原子［Ｏ］と分解されていない酸素分子［Ｏ2］とが結合してオゾン分子［Ｏ3］が生成されるというものである。また、酸素ボンベ３１からの原料ガスの供給量は電磁弁３２によって調節され、本実施形態では流量が毎分２５０ｍｌ、圧力が０．０２ＭＰａに設定される。なお、オゾン発生器３３にはオゾンガス用のホース３４の先に逆止弁３５が接続されており、発生したオゾンガスが逆止弁３５を通じて気液混合部４０に供給されることにより、オゾンガスがオゾン発生器３３に逆流しないように構成されている。
【００１８】
------  気液混合部  ------------------------------------------------------------
図１において、気液混合部４０は、原液移送部２０から移送された原液に、オゾンガス発生部３０で発生させたオゾンガスを混合した混合水（以下「気液混合水」という）を生成する手段であり、本実施形態ではエジェクタ４１とスタティックミキサ４２により構成されている。
【００１９】
図２に示すように、エジェクタ４１は、エジェクタ法を利用して気体と液体を混合するもので、水平方向の吸入口４１ａがチューブポンプ２２のチューブ２２ａに接続され、垂直方向の吸入口４１ｂが逆止弁４３を介してオゾンガス用のホース３４に接続されている。エジェクタ４１内の通路は吸入口４１ａから吐出口４１ｃの途中でテーパ状に絞られているため、チューブポンプ２２から移送された生理食塩水はテーパ部でその流速が増加し、この加速した生理食塩水の水流によって、オゾン発生器３３で発生させたオゾンガスがホース３４を通じて吸入口４１ｂからエジェクタ４１内に吸い込まれる。これにより、エジェクタ４１内で生理食塩水とオゾンガスが合流し、生理食塩水にオゾンガスを混合した気液混合水が吐出口４１ｃから所定の圧力で吐出される。
【００２０】
エジェクタ４１の吐出口４１ｃにはスタティックミキサ４２が接続されている。スタティックミキサ４２は、流路管内にねじれ方向の異なる整流板（図示略）を交互に配置した構成であり、整流板によって流体の流れを分割して方向転換させ、乱流による攪拌を起こして生理食塩水にオゾンガスを効果的に溶解させるようになっている。そして、エジェクタ４１とスタティックミキサ４２を通じて生成された気液混合水は、気液分離部５０に供給される。
【００２１】
また、スタティックミキサ４２の代わりに、図６に示すような螺旋形ホース４４を用いても良い。螺旋形ホース４４は連続する螺旋状波形に成形したフッ素樹脂製のホースであり、このホースの一端をエジェクタ４１の吐出口４１ｃに接続し、エジェクタ４１から吐出した気液混合水に渦流を発生させて生理食塩水にオゾンガスを溶解させることができる。また、螺旋形ホース４４の内部に複数個の微小ボールを数珠状に連結したボールチェーン４５を収容しておけば、ホース内を流れる気液混合水がこのボールチェーン４５に衝突して回転しながら進むことによって、生理食塩水とオゾンガスが効率良く混ざり合うようになる。このボールチェーン４５は気液混合水に対する耐食性を持たせるためにＳＵＳ３１６やＳＵＳ３０４等のステンレス鋼で成形されているのが好ましい。なお、螺旋形ホース４４全体をコイルのように巻いて接続すれば、気液混合水が大きく回りながら流れ落ちるので、滞留時間が長くなって生理食塩水とオゾンガスがさらに良く混ざり合うようになる。
【００２２】
------  気液分離部  ------------------------------------------------------------
図１において、気液分離部５０は、気液混合部４０で生成された気液混合水を、原液に溶解しない酸素と残留オゾンの混合ガス（以下「廃ガス」という）と、原液にオゾンが溶解したオゾン水（以下「洗浄水」という）とに分離する手段であり、本実施形態では気液分離槽５１と気液分離管５２と流水防止器５３により構成されている。
【００２３】
図２に示すように、気液分離槽５１は、円筒状の中空容器を寝かせた状態で設置したもので、その給水口５１ａがスタティックミキサ４２に接続されている。スタティックミキサ４２から給水口５１ａを介して供給された気液混合水は、内部の分離室５１ｂに一時的に貯留される。ここで、分離室５１ｂに貯留された気液混合水はこの室内で廃ガスと洗浄水に分離され、廃ガスは分離室５１ｂの天面に開口した排気口５１ｃから流出し、洗浄水は分離室５１ｂの底面に開口した排水口５１ｄから流出するようになっている。
【００２４】
気液分離管５２は、気液分離槽５１よりも容積の小さな管状の中空容器からなり、この容器を起立した状態でかつその中央部が気液分離槽５１と同一高さになるように設置されている。その理由は、気液分離管５２が気液分離槽５１より低い位置にあると洗浄水の流れが速くなって気泡が発生しやすくなり、逆に高い位置にあると洗浄水が溜まる速度が遅くなるからである。また、気液分離管５２の側面上方には廃ガス用のホース５５が接続され、側面下方には洗浄水用のホース５６が接続されている。これにより、気液分離槽５１から流出した廃ガスが気液分離管５２の管部５２ａの上方から流入し、これとは別に気液分離槽５１から流出した洗浄水が気液分離管５２の管部５２ａの下方から流入することによって、管部５２ａ内に廃ガスと洗浄水が分離した状態で貯留される。そして、管部５２ａの天面に開口した排気口５２ｂから廃ガスが流出し、管部５２ａの底面に開口した排水口５２ｃから洗浄水のみが排水チューブ５４を通じて装置の外部に提供される。なお、気液分離管５２の排水口５２ｃは下方に向かって次第に狭くなる漏斗状に形成されているため、管部５２ａ内の水位が上昇するにつれて底部では気泡が取り除かれる。そして、気泡のない洗浄水（オゾン濃度２〜１０ｐｐｍ）が排水チューブ５４から毎分約１５０〜２００ｍｌ程度の流量で滴下するようになっている。
【００２５】
流水防止器５３は、廃ガスを排気する際に洗浄水が流れ出ないように阻止する機能を備えたもので、空洞部５３ａを有する円筒状の中空容器を気液分離管５２の排気口５２ｂに接続することにより気液分離管５２よりも高い位置に設置されている。また、空洞部５３ａ内には円錐形状の先端部を有するフロート５３ｂが収容されており、フロート５３ｂの先端部には空洞部５３ａのテーパ面に当接してシールするＯリング５３ｃが嵌め込み固定されている。したがって、気液分離管５２の管部５２ａ内の水位が過度に上昇し、洗浄水が排気口５２ｃから流水防止器５３の空洞部５３ａ内に流れ出た場合には、空洞部５３ａ内に満たされた洗浄水によってフロート５３ｂが浮力で上昇する。そして、フロート５３ｂが空洞部５３ａのテーパ面まで上昇すると、先端部のＯリング５３ｃによって排気口５３ｄが閉じられ、廃ガスの排気を一時的に停止し、かつ排気口５３ｄから洗浄水が流出するのを防止するようになっている。
【００２６】
------  廃ガス処理部  ----------------------------------------------------------
図１において、廃ガス処理部６０は、気液分離部５０で分離された廃ガスを酸素に分解して排気する手段であり、本実施形態では流量調節弁６１とオゾン分解器６２により構成されている。
【００２７】
図３に示すように、流量調節弁６１は、廃ガスの排気量を調節するためのステンレス製の開閉弁であり、流水防止器５３に塩化ビニル製の廃ガス用のホース６３を介して接続されている。流量調節弁６１の操作つまみ６１ａを手動で回すと内部の弁が開閉し、流水防止器５３からオゾン分解器６２へと排気される廃ガスの流量が調節される。なお、廃ガス用のホース６３の内径を小さくすることで廃ガスの排気量を調節しても良く、その場合には流量調節弁６１を設ける必要がなくなる。
【００２８】
オゾン分解器６２は、活性炭を利用してオゾンを分解するもので、その給気側が流量調節弁６１に接続されている。オゾン分解器６２の内部には、給気側と排気側にそれぞれフィルタ６２ａが設けられており、これらのフィルタ６２ａ，６２ａ間にオゾン分解触媒として破砕状の活性炭６２ｂが充填されている。これにより、流量調節弁６１から給気した廃ガスはフィルタ６２ａを通って活性炭６２ｂの隙間を抜けていくが、このとき廃ガス中の残留オゾンが活性炭６２ｂに吸着されて反応し、オゾン分子［Ｏ3］が酸素分子［Ｏ2］に分解される。また、オゾン特有の臭気もこの活性炭６２ｂによって脱臭される。そして、分解された酸素は、オゾン分解器６２の排気側に接続された酸素用のホース６４を通って外気に開放される。なお、フィルタ６２ａの外側には空隙部６２ｃが設けられているが、これは流量調節弁６１から給気した廃ガスと活性炭６２ｂを通して分解した酸素とを瞬時に広がりやすくするためのスペースである。
【００２９】
------  気液分離部と廃ガス処理部との関係  --------------------------------------
気液分離部５０と廃ガス処理部６０は上記の通りに構成されているが、内径（φ２）の小さな排水チューブ５４から一定量の洗浄水を排出することは、気液分離管５２と排水チューブ５４の内部にある洗浄水の自重に頼るだけでは難しい。そこでこの装置では、気液分離槽５１、気液分離管５２、流水防止器５３、排水チューブ５４、流量調節弁６１及びオゾン分解器６２について、これらの間の圧力バランスを利用して排水チューブ５４から一定量の洗浄水を吐出する構造を採用している。
【００３０】
すなわち、図７に示すように排水チューブ５４からの排水量が少ないと、気液分離槽５１の分離室５１ｂと、気液分離管５２の管部５２ａと、流水防止器５３の空洞部５３ａにそれぞれ洗浄水が満たされる。このとき、流量調節弁６１の操作つまみ６１ａを回して廃ガスの排気量を多くすることにより、廃ガスの圧力によって排水チューブ５４からの洗浄水の排水量が増加する。
【００３１】
また、図８に示すように圧力のバランスが取れた状態においては、気液分離管５２の管部５２ａの内容積に比べて気液分離槽５１の分離室５１ｂの内容積の方が大きいので、気液分離管５２内の水面の高さは変動しにくくなる。このとき、気液分離槽５１では、廃ガスの大部分が排気口５１ｃからホース５５を通って気液分離管５２の管部５２ａの上方に抜け出るとともに、洗浄水と微細な気泡が排水口５１ｄからホース５６を通って気液分離管５２の管部５２ａの下方に流れ出る。ここで、気液分離管５２の下方においては大きな気泡がないため、管部５２ａ内の水位の変動が少なく、安定した水量の洗浄水が排水チューブ５４から供給される。
【００３２】
さらに、排水チューブ５４の抵抗が大きく排水量が少なくなると、気液分離槽５１の分離室５１ｂと気液分離管５２の管部５２ａに洗浄水が満たされるので、流水防止器５３の流水防止機能が働いて洗浄水と廃ガスの流出が停止する。これにより、気液分離槽５１の分離室５１ｂと、気液分離管５２の管部５２ａと、流水防止器５３の空洞部５３ａの内部圧力が大きくなる。したがって、これらの圧力が排水チューブ５４の抵抗よりも大きくなるため、その圧力によって気液分離管５２の管部５２ａ内の洗浄水が排出チューブ５４から押し出され、洗浄水の排水量が増加する。なお、洗浄水の排水量が増加して気液分離管５２の管部５２ａ内の水位が下がると、流水防止器５３のフロート５３ｂが下降して排気口５３ｄが開く。これにより、廃ガスが排気口５３ｄから流量調節弁６１を通ってオゾン分解器６２に流れるようになり、圧力のバランスが元の状態に戻る。
【００３３】
このように、本装置によれば、気液分離部５０と廃ガス処理部６０の間の圧力バランスを利用することによって、排水チューブ５４から常に一定量（毎分１５０〜２００ｍｌ）の洗浄水を吐出することができる。
【００３４】
------  その他  ----------------------------------------------------------------
洗浄水生成装置にはフットスイッチ（図示略）が接続されており、フットスイッチのペダルを踏んで電源のＯＮ／ＯＦＦを切り換えることができる。電源をＯＮすると、図３に示すコントローラ７１に内蔵されたリレー回路により、チューブポンプ２２を起動した後に酸素ボンベ３１を開いてオゾン発生器３３が運転を開始するように制御される。これにより、電源投入時には先に生理食塩水が移送されてからオゾンガスが発生するため、オゾンガスのみが排水チューブ５４から室内に排気されないようになっている。一方、電源をＯＦＦすると、コントローラ７１によって始めにチューブポンプ２２の運転を停止し、その後にオゾン発生器３３からのオゾンガスの発生が止まり、最後に酸素ボンベ３１が閉じて酸素の供給を停止するように制御される。したがって、電源切断時には配管内に溜まった液体が酸素ボンベ３１からのガス圧力によって排水チューブ５４からすべて押し出されるので、配管内に不要な液体が残らないようになっている。なお、コントローラ７１とＡＣ電源とはトロイダルトランス７２によって電気的に絶縁されている。
【００３５】
また、本装置を使用した後には、オゾンガスや生理食塩水に接触した部分を殺菌消毒するために熱処理を行う必要があるが、この装置によれば熱処理を行う部分だけを簡単に取り外すことができる。すなわち、図９に示すように、気液混合部４０のエジェクタ４１と、気液分離部５０の気液分離槽５１、気液分離管５２及び流水防止器５３のすべてが一枚の取付板７３に装着されており、この取付板７３には左右両側に一対のステンレス製の取手７４，７４が取り付け固定されている。また、エジェクタ４１と流水防止器５３には、それぞれねじ込み式の継手７５を介してオゾンガス用のホース３４と廃ガス用のホース６３が接続されている。
【００３６】
したがって、使用後に電源を切断してケース１１を取り外した後、図１０のように継手７５を回して取り外せば取付板７３が装置本体から切り離されるので、一対の取手７４，７４を持って取付板７３ごと持ち運ぶことが可能になる。よって、殺菌消毒のために部品の分解作業を行わなくても済み、メンテナンスを簡単に実施できるという利点がある。なお、装置本体側に残されたチューブポンプ２２については、カセット２２ｃをひねって脱着し、内部のチューブ２２ａと外部の食塩水用のホース２４を取り外してそれぞれを殺菌消毒すれば良い。
【図面の簡単な説明】
【００３７】
【図１】洗浄水生成装置の機能ブロック図。
【図２】洗浄水生成装置の正面図。
【図３】洗浄水生成装置の背面図。
【図４】洗浄水生成装置の右側面図。
【図５】生理食塩水の容器に取り付ける排出用キャップの説明図。
【図６】気液混合部の一例である螺旋形ホースの説明図。
【図７】気液分離部における排水チューブからの排水量が少ない状態の説明図。
【図８】気液分離部における圧力のバランスが取れた状態の説明図。
【図９】洗浄水生成装置について作業板を取り外す前の状態の説明図。
【図１０】洗浄水生成装置について作業板を取り外した後の状態の説明図。
【符号の説明】
【００３８】
１０  洗浄水生成装置
１１  ケース
２０  原液移送部
２１  容器
２２  チューブポンプ
２３  排水用キャップ
２４  食塩水用のホース
３０  オゾンガス発生部
３１  酸素ボンベ
３２  電磁弁
３３  オゾン発生器
３４  オゾンガス用のホース
３５  逆止弁
４０  気液混合部
４１  エジェクタ
４２  スタティックミキサ
４３  逆止弁
４４  螺旋形ホース
４５  ボールチェーン
５０  気液分離部
５１  気液分離槽
５２  気液分離管
５３  流水防止器
５４  排水チューブ
５５  廃ガス用のホース
５６  洗浄水用のホース
６０  廃ガス処理部
６１  流量調節弁
６２  オゾン分解器
６３  廃ガス用のホース
６４  酸素用のホース
７１  コントローラ
７２  トロイダルトランス
７３  取付板
７４  取手
７５  継手
【図１】
2010058000.tif 000003
【図２】
2010058000.tif 000004
【図３】
2010058000.tif 000005
【図４】
2010058000.tif 000006
【図５】
2010058000.tif 000007
【図６】
2010058000.tif 000008
【図７】
2010058000.tif 000009
【図８】
2010058000.tif 000010
【図９】
2010058000.tif 000011
【図１０】
2010058000.tif 000012
【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
原液にオゾンを溶解させた洗浄水を生成する装置（１０）であって、
原液を連続して定量移送する原液移送部（２０）と、
オゾンを含むオゾンガスを発生させるオゾンガス発生部（３０）と、
原液移送部（２０）から定量移送された原液にオゾンガス発生部（３０）で発生させたオゾンガスを混合して気液混合水を生成する気液混合部（４０）と、
気液混合部（４０）で生成した気液混合水を原液に溶解しない廃ガスと原液にオゾンを溶解させた洗浄水とに分離して貯留する気液分離部（５０）と、を備え、
気液分離部（５０）は、
筒状容器内で気液混合水を廃ガスと洗浄水とに分離して、両者を別々に排出する気液分離槽（５１）と、
気液分離槽（５１）よりも容積の小さな管状容器からなり、気液分離槽（５１）から別々に排出した廃ガスと洗浄水を管状容器の上方と下方から別々に流入させて、両者を分離した状態で貯留する気液分離管（５２）と、から構成され、
気液分離管（５２）の天面の排気口（５２ｂ）から排気される廃ガスの排気量を調節することにより、気液分離管（５２）の管内下方に貯留した洗浄水の自重と気液分離管（５２）の管内上方に貯留した廃ガスの圧力とを利用して、気液分離管（５２）内の洗浄水を気液分離管（５２）の底面の排水口（５２ｃ）から滴下した状態で排水する
ことを特徴とする洗浄水生成装置。
【請求項２】
原液移送部（２０）は、原液の容器（２１）からホース（２４）を介してチューブポンプ（２２）により原液を定量移送する
ことを特徴とする請求項１に記載の洗浄水生成装置。
【請求項３】
気液混合部（４０）は、原液移送部（２０）から定量移送された原液にオゾンガス発生部（３０）で発生させたオゾンガスを混合して気液混合水を吐出するエジェクタ（４１）と、エジェクタ（４１）の吐出口（４１ｃ）に接続されたスタティックミキサ（４２）とから構成され、スタティックミキサ（４２）内に交互に配置した整流板により気液混合水を乱流攪拌する
ことを特徴とする請求項１または２に記載の洗浄水生成装置。
【請求項４】
気液混合部（４０）は、原液移送部（２０）から定量移送された原液にオゾンガス発生部（３０）で発生させたオゾンガスを混合して気液混合水を吐出するエジェクタ（４１）と、エジェクタ（４１）の吐出口（４１ｃ）に接続された螺旋形ホース（４４）とから構成され、螺旋形ホース（４４）内を流れる気液混合水に渦流を発生させる
ことを特徴とする請求項１または２に記載の洗浄水生成装置。
【請求項５】
気液分離部（５０）は、気液分離管（５２）の排気口（５２ｂ）に接続された中空容器内にフロート（５３ｂ）を収容した流水防止器（５３）を更に備え、この流水防止器（５３）は、中空容器内に洗浄水が満たされた場合に、フロート（５３ｂ）が浮上して中空容器の排気口（５３ｄ）を塞ぐことにより排気口（５３ｄ）からの洗浄水の流出を阻止する
ことを特徴とする請求項１ないし４のいずれか１項に記載の洗浄水生成装置。
【手続補正３】
【補正対象書類名】明細書
【補正対象項目名】０００１
【補正方法】変更
【補正の内容】
【０００１】
本発明は、原液にオゾンを溶解させた洗浄水を生成する装置に関する。
【手続補正４】
【補正対象書類名】明細書
【補正対象項目名】０００６
【補正方法】変更
【補正の内容】
【０００６】
上記の目的を達成するために、本発明の洗浄水生成装置は、原液にオゾンを溶解させた洗浄水を生成する装置（１０）であって、原液を連続して定量移送する原液移送部（２０）と、オゾンを含むオゾンガスを発生させるオゾンガス発生部（３０）と、原液移送部（２０）から定量移送された原液にオゾンガス発生部（３０）で発生させたオゾンガスを混合して気液混合水を生成する気液混合部（４０）と、気液混合部（４０）で生成した気液混合水を原液に溶解しない廃ガスと原液にオゾンを溶解させた洗浄水とに分離して貯留する気液分離部（５０）と、を備え、気液分離部（５０）は、筒状容器内で気液混合水を廃ガスと洗浄水とに分離して、両者を別々に排出する気液分離槽（５１）と、気液分離槽（５１）よりも容積の小さな管状容器からなり、気液分離槽（５１）から別々に排出した廃ガスと洗浄水を管状容器の上方と下方から別々に流入させて、両者を分離した状態で貯留する気液分離管（５２）と、から構成され、気液分離管（５２）の天面の排気口（５２ｂ）から排気される廃ガスの排気量を調節することにより、気液分離管（５２）の管内下方に貯留した洗浄水の自重と気液分離管（５２）の管内上方に貯留した廃ガスの圧力とを利用して、気液分離管（５２）内の洗浄水を気液分離管（５２）の底面の排水口（５２ｃ）から滴下した状態で排水することを特徴とするものである。
【手続補正５】
【補正対象書類名】明細書
【補正対象項目名】０００７
【補正方法】変更
【補正の内容】
【０００７】
また、本発明の洗浄水生成装置において、原液移送部（２０）は、原液の容器（２１）からホース（２４）を介してチューブポンプ（２２）により原液を定量移送する構成を採用することができる。
【手続補正６】
【補正対象書類名】明細書
【補正対象項目名】０００８
【補正方法】変更
【補正の内容】
【０００８】
また、本発明の洗浄水生成装置において、気液混合部（４０）は、原液移送部（２０）から定量移送された原液にオゾンガス発生部（３０）で発生させたオゾンガスを混合して気液混合水を吐出するエジェクタ（４１）と、エジェクタ（４１）の吐出口（４１ｃ）に接続されたスタティックミキサ（４２）とから構成され、スタティックミキサ（４２）内に交互に配置した整流板により気液混合水を乱流攪拌するようにしても良い。また、気液混合部（４０）は、原液移送部（２０）から定量移送された原液にオゾンガス発生部（３０）で発生させたオゾンガスを混合して気液混合水を吐出するエジェクタ（４１）と、エジェクタ（４１）の吐出口（４１ｃ）に接続された螺旋形ホース（４４）とから構成され、螺旋形ホース（４４）内を流れる気液混合水に渦流を発生させるようにしても良い。
【手続補正７】
【補正対象書類名】明細書
【補正対象項目名】０００９
【補正方法】変更
【補正の内容】
【０００９】
また、本発明の洗浄水生成装置において、気液分離部（５０）は、気液分離管（５２）の排気口（５２ｂ）に接続された中空容器内にフロート（５３ｂ）を収容した流水防止器（５３）を更に備え、この流水防止器（５３）は、中空容器内に洗浄水が満たされた場合に、フロート（５３ｂ）が浮上して中空容器の排気口（５３ｄ）を塞ぐことにより排気口（５３ｄ）からの洗浄水の流出を阻止する構成を採用することもできる。
【手続補正８】
【補正対象書類名】明細書
【補正対象項目名】００３２
【補正方法】変更
【補正の内容】
【００３２】
さらに、排水チューブ５４の抵抗が大きく排水量が少なくなると、気液分離槽５１の分離室５１ｂと気液分離管５２の管部５２ａに洗浄水が満たされるので、流水防止器５３の流水防止機能が働いて洗浄水と廃ガスの流出が停止する。これにより、気液分離槽５１の分離室５１ｂと、気液分離管５２の管部５２ａと、流水防止器５３の空洞部５３ａの内部圧力が大きくなる。したがって、これらの圧力が排水チューブ５４の抵抗よりも大きくなるため、その圧力によって気液分離管５２の管部５２ａ内の洗浄水が排水チューブ５４から押し出され、洗浄水の排水量が増加する。なお、洗浄水の排水量が増加して気液分離管５２の管部５２ａ内の水位が下がると、流水防止器５３のフロート５３ｂが下降して排気口５３ｄが開く。これにより、廃ガスが排気口５３ｄから流量調節弁６１を通ってオゾン分解器６２に流れるようになり、圧力のバランスが元の状態に戻る。